(57)【要約】【課題】レンズユニット及びカメラ本体の両方に配設したバッテリ電源を有効に使用することができ、カメラ本体側またはレンズユニット側のバッテリの残量をその後の所望の用途に応じて残すことが可能なカメラを提供すること。【解決手段】第１電源装置１７を設けたカメラ本体１０と、カメラ本体１０に着脱自在に取り付けられ、カメラ本体１０側で必要な電力の少なくとも一部を供給する第２電源装置２２を設けたレンズユニット２２と、両電源装置１７，２２の使用順序を、両電源装置１７，２２のうち一方のバッテリ電源のバッテリ残量が所定の閾値を下回った場合には、該所定の閾値に達していない他方のバッテリ電源を使用するように制御する電源制御装置１１と、両電源装置１７，２２のバッテリ残量がいずれも所定の閾値を下回ったことを使用者に通知する通知手段とを備えている。【選択図】図１
2008083142.tif 000002
【特許請求の範囲】
【請求項１】
撮像素子、該撮像素子で撮像された画像を表示する表示部、及び第１のバッテリ電源を設けたカメラ本体と、
前記カメラ本体に着脱自在に取り付けられ、該カメラ本体側で必要な電力の少なくとも一部を供給する第２のバッテリ電源を設けたレンズユニットと、
前記第１のバッテリ電源及び前記第２のバッテリ電源の使用順序を、前記第１のバッテリ電源及び前記第２のバッテリ電源のうち一方のバッテリ電源のバッテリ残量が予め定められた所定の閾値を下回った場合には、該所定の閾値に達していない他方のバッテリ電源を使用するように制御する電源制御部と、
前記第１のバッテリ電源及び前記第２のバッテリ電源のバッテリ残量がいずれも前記所定の閾値を下回ったことを使用者に通知する通知手段と、
を備えているカメラ。
【請求項２】
前記閾値が、前記第１のバッテリ電源のみで前記表示部に画像を表示するために必要なバッテリ残量よりも大きな値で規定される請求項１に記載のカメラ。
【請求項３】
前記閾値が、前記第２のバッテリ電源のみで前記撮像素子による画像の撮像を可能とするために必要なバッテリ残量よりも大きな値で規定される請求項１に記載のカメラ。
【発明の詳細な説明】
【技術分野】
【０００１】
本発明は、たとえばデジタルカメラのように、バッテリ等の内部電源を必要とするカメラに関するものである。
【背景技術】
【０００２】
従来、内部電源を必要とし、レンズユニットをカメラ本体に交換可能に装着するカメラにおいては、レンズユニットの駆動用バッテリ電源として、カメラ本体に備えられたバッテリ電源とは別に、レンズユニットにバッテリ電源を有するものが知られている。（たとえば、特許文献１、特許文献２参照）
これら特許文献１及び特許文献２に記載されたカメラは、レンズユニットに内蔵した専用のバッテリ電源により、カメラ本体とは切り離した状態でレンズユニットの駆動を行うものである。
【特許文献１】特開２０００−１４７３６１号公報
【特許文献２】特開２０００−２２７５４０号公報
【発明の開示】
【発明が解決しようとする課題】
【０００３】
しかしながら、上述した特許文献１、２のカメラは、レンズユニット側からカメラ本体側へ、または、その逆への電力の供給を行うことができず、レンズユニット及びカメラ本体の両方に配設したバッテリ電源を双方で融通して有効に使用することができないという問題があった。また、カメラ本体及びレンズユニットに設けられたバッテリ電源のバッテリ残量（残容量）が撮影中にそれぞれどのような状態であるかを使用者が認識することができず、カメラ本体またはレンズユニットのバッテリ残量をその後の所望の用途に応じて、カメラ本体側またはレンズユニット側のバッテリに残すことができないという問題があった。
【０００４】
本発明は、上記の事情に鑑みてなされたものであり、その目的とするところは、レンズユニット及びカメラ本体の両方に配設したバッテリ電源を有効に使用することができるとともに、カメラ本体側またはレンズユニット側のバッテリの残量をその後の所望の用途に応じて残すことが可能なカメラを提供することにある。
【課題を解決するための手段】
【０００５】
本発明は、上記の課題を解決するため、下記の手段を採用した。
本発明に係るカメラは、撮像素子、該撮像素子で撮像された画像を表示する表示部、及び第１のバッテリ電源を設けたカメラ本体と、前記カメラ本体に着脱自在に取り付けられ、該カメラ本体側で必要な電力の少なくとも一部を供給する第２のバッテリ電源を設けたレンズユニットと、前記第１のバッテリ電源及び前記第２のバッテリ電源の使用順序を、前記第１のバッテリ電源及び前記第２のバッテリ電源のうち一方のバッテリ電源のバッテリ残量が予め定められた所定の閾値を下回った場合には、該所定の閾値に達していない他方のバッテリ電源を使用するように制御する電源制御部と、前記第１のバッテリ電源及び前記第２のバッテリ電源のバッテリ残量がいずれも前記所定の閾値を下回ったことを使用者に通知する通知手段と、を備えている。
【０００６】
このようなカメラによれば、電源制御部は、第１のバッテリ電源及び第２のバッテリ電源の使用順序を、第１のバッテリ電源及び第２のバッテリ電源のうち一方のバッテリ電源のバッテリ残量が予め定められた所定の閾値を下回った場合には、該所定の閾値に達していない他方のバッテリ電源を使用するように制御し、通知手段は、第１のバッテリ電源及び第２のバッテリ電源のバッテリ残量がいずれも前記所定の閾値を下回ったことを使用者に通知するので、レンズユニット及びカメラ本体の両方に配設したバッテリ電源を双方で融通して有効に使用することができるとともに、両バッテリ電源のバッテリ残量が所定の閾値まで低下したことを使用者に通知して、カメラ本体側またはレンズユニット側のバッテリの残量をその後の所望の用途に応じて残すか否かの選択機会を使用者に与えることができる。
【０００７】
上記の発明において、前記閾値は、前記第１のバッテリ電源のみで前記表示部に画像を表示するために必要なバッテリ残量よりも大きな値で規定されることが好ましく、これにより、第１のバッテリ電源のみで画像表示が可能なバッテリ残量をカメラ本体側に確保することができる。
上記の発明において、前記閾値は、前記第２のバッテリ電源のみで前記撮像素子による画像の撮像を可能とするために必要なバッテリ残量よりも大きな値で規定されることが好ましく、これにより、第２のバッテリ電源のみで撮像が可能なバッテリ残量をレンズユニット側に確保することができる。
【発明の効果】
【０００８】
上述した本発明によれば、レンズユニット及びカメラ本体の両方に配設したバッテリ電源の有効利用が可能になるとともに、カメラの使用者に対し、撮影を継続するかあるいは撮影画像を表示部に表示するかの選択機会を意識的に与えることができる。特に、カメラの使用者に対し、特定のレンズユニットを使用して撮影を継続することが可能であるか否か、または、カメラ本体側の電源に撮影画像を表示部に再生するために必要な電源を残すか否かの認識機会を意識的に与え、今後の使用予定に合わせた選択を可能にする。
【発明を実施するための最良の形態】
【０００９】
以下、本発明に係るカメラの一実施形態を図面に基づいて説明する。
図１は、本発明の一実施形態に係るカメラの構成例として、デジタルカメラの構成を示すブロック図である。
カメラ１は、カメラ本体１０と、該カメラ本体１０に着脱可能に取り付けられるレンズユニット２０と、後述する二つのバッテリ電源の使用順序を制御する電源制御装置（電源制御部）１１と、バッテリ電源の状態を使用者に通知するために設けた後述の通知手段とを備えている。
【００１０】
カメラ本体１０とレンズユニット２０との間は、本体側ＢＬ通信装置３０Ａ及びレンズ側ＢＬ通信装置３０Ｂを介して電源系統（図中に実線で表示）及び制御系統（図中に破線で表示）が接続されている。この場合のレンズユニット２０は、広角レンズや望遠レンズなど撮影目的に応じて適宜交換できるように、カメラ本体１０にマウント部を介して着脱可能に取り付けられた交換式のレンズユニットである。
【００１１】
カメラ本体１０は、電源制御部として機能する電源制御装置１１と、制御装置１２と、撮像素子１３と、記憶装置１４と、表示素子（表示部）１５と、発光装置１６と、第１のバッテリ電源となる第１電源装置１７とを具備している。
レンズユニット２０は、撮像光学系２１と、第２のバッテリ電源となる第２電源装置２２と、駆動装置２３とを具備している。
【００１２】
電源制御装置１１は、後述する第１電源装置１７及び第２電源装置２２から供給される電源に関する使用順序等の優先使用制御を含め、電源に関する各種の制御を行うものである。すなわち、電源制御部１１では、第１電源装置１１及び第２電源装置２２の使用順序について、第１電源装置１７及び第２電源装置２２のうち一方のバッテリ電源のバッテリ残量が、予め定められた所定の閾値を下回った場合には、該所定の閾値に達していない他方のバッテリ電源を使用するように制御する。具体的には、第１電源装置１７及び第２電源装置２２の電圧をそれぞれモニターし、いずれか一方の電源（たとえば第１電源装置１７）が予め設定された所定の電圧（閾値）を下回った場合、すなわちバッテリ残量が所定の閾値を下回った場合には、バッテリ残量が該閾値より大きい他方のバッテリ電源（たとえば第２電源装置２２）を使用するよう使用順序を制御する。この電源制御装置１１で制御された電源は、制御装置１２を介してカメラ本体１０及びレンズユニット２０の各構成要素に供給される。
【００１３】
制御装置１２は、撮像、記憶及び表示など、カメラ１の操作に伴って各種制御を行うものであり、ＣＰＵ等を包含する。
撮像素子１３は、捕らえた光を電気信号の画像信号に変換するイメージセンサーであり、具体的にはＣＣＤやＣＭＯＳ等が使用される。
記憶装置１４は、撮像した画像データを記憶して保存するための装置であり、メモリカード等の記憶媒体が使用される。
このような制御を行うことにより、レンズユニット２０及びカメラ本体１０の両方に配設したバッテリ電源を有効に使用して長時間の撮影または表示が可能となる。
【００１４】
表示素子１５は、撮像素子１３から送られてくる画像信号や記憶装置１４に記憶した画像データ等を表示するもので、たとえば液晶パネル等が使用される。
この表示装置１５は、上述した通知手段としても使用される。この通知手段は、第１電源装置１７及び第２電源装置２２のバッテリ残量が、いずれも予め定められた所定の閾値を下回ったことを使用者に通知するものである。具体的に説明すると、この通知手段は、第１電源装置１７及び第２電源装置２２のバッテリ残量をそれぞれ表示する表示手段であり、撮影画像を表示する表示素子１５には、それぞれのバッテリ残量が閾値を下回ったことを表示することができる。
また、上述した表示手段については、表示素子１５とは別に設けた独立の表示素子（液晶パネル等）に表示したり、あるいは、発光ダイオード等のインジケータを別途設けて表示してもよい。
【００１５】
ところで、上述した所定の閾値は、第１電源装置１７のみで表示素子１５に画像を表示するために必要なバッテリ残量よりも大きな値（以下、「第１閾値」）に設定してもよいし、あるいは、第２電源装置２２のみで撮像素子１３による画像の撮像を可能とするために必要なバッテリ残量よりも大きな値（以下、「第２閾値」）に設定してもよい。また、それらのいずれの条件を満たすバッテリ残量より大きな値（以下、「第３閾値」）に設定してもよい。
【００１６】
ここで、バッテリ残量の所定値として第１閾値を選択した場合、第１電源装置１７のみで画像表示が可能なバッテリ残量をカメラ本体１０側に確保することができる。すなわち、第１電源装置１７及び第２電源装置２２のバッテリ残量がともに第１閾値を下回ると、カメラ１の使用者はこれを通知手段により知ることができるので、さらに電源を使用して撮影を続けるか、あるいは、撮影を中止して画像表示にカメラ本体１０側の電源を単独使用するかについて、バッテリ残量の状況を認識した上で判断する選択機会を得ることができる。なお、カメラ本体１０側のバッテリ電源を単独使用して画像表示が可能であることは、カメラ本体１０からレンズユニット２０を取り外した状態でも画像表示できることを意味している。
【００１７】
一方、バッテリ残量の所定値として第２閾値を選択した場合、第２電源装置２２のみで撮像素子１３による画像の撮像を可能とするために必要なバッテリ残量をレンズユニット２０側に確保することができる。すなわち、第１電源装置１７及び第２電源装置２２のバッテリ残量がともに第２閾値まで低下すると、カメラ１の使用者はこれを通知手段により知ることができるので、特定のレンズユニット２０を使用して撮影動作を続けるか否かについて、バッテリ残量の状況を認識した上で判断する選択機会が与えられる。この結果、今後の撮影で使用したい特定のレンズユニット２０に対し、レンズユニット側のバッテリ電源のみで撮影可能なバッテリ残量を残すことができる。
さらに、第３閾値を選択した場合、カメラ本体１０からレンズユニット２０を取り出した状態で画像表示するか、レンズユニット側のバッテリ電源のみで撮影を行うかの選択の機会が得られる。
【００１８】
このように、通知手段として第１電源装置１７及び第２電源装置２２のバッテリ残量が設定した閾値を下回ったことをそれぞれ表示する表示手段を設けることにより、カメラ１の使用者は、第１電源装置１７及び第２電源装置２２のバッテリ残量を把握しながら撮影を行うことができる。この結果、撮影者は、カメラ本体１０側に画像表示用のバッテリ残量を残したり、あるいは、レンズユニット２０側に撮影用のバッテリ残量を残すことを状況に応じて選択できる。
【００１９】
発光装置１６は、夜間撮影時等に発光して撮像に必要な光量を補う装置である。
第１電源装置１７は、レンズユニット２０の第２電源装置２２とともにカメラ１の各種構成要素を駆動するバッテリであり、電源制御装置１１に接続されて電源を供給する。この第１電源装置１７には、リチウムイオンポリマー電池等の可撓性を有するフィルム性電池を含む公知の各種電池を使用可能である。
【００２０】
撮像光学系２１は、撮像素子１３に光（画像）を導くもので、各種レンズ等を組み合わせて構成される。
第２電源装置２２は、第１電源装置１７とともにカメラ１の各構成要素を駆動するバッテリであり、公知の各種電池を使用可能であるが、特に、リチウムイオンポリマー電池等の可撓性を有するフィルム性電池が好ましい。
駆動装置２３は、レンズユニット２０の焦点距離を合わせるための駆動装置であり、電動機等により構成される。
【００２１】
この実施形態では、カメラ１の駆動源となるバッテリ容量の全量が、第１電源装置１７及び第２電源装置２２に分割して配置されている。
すなわち、レンズユニット２０に設けられた第２電源装置２２は、カメラ本体１０及びレンズユニット２０の両方に電源を供給することとなり、電源制御装置１１が両電源の使用方法を含む一括制御を行う構成とされる。従って、この場合の分割配置は、第１電源装置１４及び第２電源装置２２の合計がカメラ１で必要な電源容量を満足していればよく、その分割比率については、カメラ本体１及びレンズユニット２０の必要量に関係なく決めることができる。
【００２２】
このような電源配置のカメラ本体１０は、第２電源装置２２の容量分だけ第１電源装置１７を小容量化してその収納スペースを小さくすることができるので、カメラ本体１０の小型化を容易にして設計の自由度を増すことができる。
一方、レンズユニット２０は、各種レンズを組み合わせた撮像光学系２１が中心となるため、特に絞り位置の撮像光学系２１の外周にバッテリ等の電源を設置するスペースに適した内部空間が比較的多く存在する。従って、レンズユニット２０の内部空間を有効利用して第２電源装置２２を設置しても、レンズユニット２０自体が大型化したり、あるいは、設計の自由度が低下するようなことはほとんどない。
【００２３】
また、交換可能な複数のレンズユニット２０を保有していれば、複数の第２電源装置２２を保有しているのと同じことになるので、レンズユニット２０を適宜交換して使用することにより、各第２電源装置２２毎の電源寿命を増して長時間の使用が可能になる。
また、レンズユニット２０を順次交換して使用することにより、長時間の電源を確保できるので、カメラ１の使用可能時間を延長することができる。なお、特定のレンズユニット２０を継続して使用したい場合には、使用済の第２電源装置２２を未使用のものと入れ替えて交換使用することも可能である。
【００２４】
このように、カメラ本体１０に設けられた第１電源装置１７と、カメラ本体１０側で必要な電力の少なくとも一部を供給するようにレンズユニット２０に設けられた第２電源装置２２とを備えているカメラ１においては、電源制御装置１１に設定された電源使用モードの選択に応じて、両電源の使用順序が制御される。すなわち、第１電源装置１７及び第２電源装置２２のいずれか一方が所定値（Ｒ１）に達するまでは、第１電源装置１７と第２電源装置２２の両方を均等に使用する両電源均等使用モードで、電源制御装置１１は第１電源装置１７と第２電源装置２２を制御する。両電源均等使用モードでは、二つの電源装置の残量の差をできるだけ小さく保つように電力を供給する。
両方の電源に十分な残量があるうちは両電源均等使用モードで電力を供給するが、第２の電源装置２２の残量が先に所定値（Ｒ１）を下回った場合には、第１電源装置１７のみを使用する本体側電源優先モードで電力を供給する。また、第１電源装置１７の残量が先に所定値（Ｒ１）を下回った場合には、第２電源装置２２のみを使用するレンズ側電源優先使用モードで電力を供給する。
さらに、両方の電源ともに所定値（Ｒ１）を下回った場合には、表示素子１５に第１電源装置１７と第２電源装置２２の両方とも所定値（Ｒ１）以下の残量になったことを表示する。
【００２５】
以下、第１電源装置１７及び第２電源装置２２の電源使用に係る電源制御例について、図２のフローチャートに基づいて説明する。
この電源制御では、カメラ１で撮影または画像の再生を行う場合、最初のステップＳ１において、たとえばカメラ本体１０の適所に設けられた電源スイッチ（不図示）をカメラ使用者が操作して「電源ＯＮ」とするが、この電源スイッチ操作が行われると、電源制御装置１１では下記の制御を実施する。
【００２６】
次のステップＳ２では、両電源装置１７，２２の残量を確認する電源チェックを実施する。この電源チェックでは、次のステップＳ３に進み、両者（両電源装置１７，２２）の残量が所定値（Ｒ１）以上か否かを確認する。
この結果、両電源装置１７，２２の残量が所定値（Ｒ１）以上である「ＹＥＳ」の場合には、次のステップＳ４に進む。この状態では、電源制御装置１１は第１電源装置１７と第２電源装置２２を両電源均等使用モードで制御する。ステップＳ４では、第１電源装置（本体側電源）１７の残量（Ｂｂ）と、第２電源装置（レンズ側電源）の残量（Ｌｂ）とを比較し、第１電源装置１７の残量が第２電源装置２２の残量と等しいか大きい（Ｂｂ≧Ｌｂ）「ＹＥＳ」の場合には、次のステップＳ５に進んで第１電源装置１７を使用する。
一方、ステップＳ４の比較で第１電源装置１７の残量が第２電源装置２２の残量より少ない（Ｂｂ＜Ｌｂ）「ＮＯ」の場合には、ステップＳ１２に進んで第２電源装置２２を使用する。
【００２７】
こうして使用する電源装置が決まると、次のステップＳ６に進んで電源状態の表示が行われる。ここでの表示内容は、たとえば現在使用している電源装置の種類や第１電源装置１７及び第２電源装置２２の残量等であり、専用の表示手段をカメラ本体１０の適所に設けて表示してもよいし、あるいは、液晶パネル等の表示素子１５を用い、画像等の表示画面に重畳して表示してもよい。
次のステップＳ７では、電源スイッチの操作により「電源ＯＦＦ」が選択されたか否かを判断する。この結果、「電源ＯＦＦ」が選択されていない「ＮＯ」の場合には、次のステップＳ８に進んで時間経過を判断する。
【００２８】
ステップＳ８における時間経過の判断は、使用状態にある電源装置について、その使用時間が、使用開始から予め設定された所定時間（Ｔ）を経過して継続したか否かを判断するものである。この結果、継続する使用時間が所定時間経過して継続した「ＹＥＳ」の場合には、上述したステップＳ２の電源チェックに戻り、ステップＳ３で電源残量の比較を再度行うことにより、使用する電源装置をあらためて決定する。
一方、ステップＳ８における使用時間の判断において、所定時間（Ｔ）を経過して継続されていない「ＮＯ」の場合には、再度ステップＳ７に戻って「電源ＯＦＦ」が選択されたか否かを繰り返し判断する。
また、ステップＳ７において、「電源ＯＦＦ」が選択された「ＹＥＳ」になると、ステップＳ９に進んで電源制御装置１１による両電源均等使用モードの制御を終了する。
【００２９】
このような両電源均等使用モードでは、一方の電源装置を選択した使用時間が所定時間（Ｔ）を経過して継続する毎に残量比較を行い、その都度残量の大きい電源装置を選択して使用するので、両電源装置の残量に大きな差が生じることはない。すなわち、所定時間（Ｔ）の設定を短時間に設定すればするほど、頻繁に残量比較が行われるため両電源装置の残量差は小さくなるので、レンズユニット２０を交換しなくても、両電源を略均等に有効利用して長時間の撮影及び再生が可能になる。従って、所定時間（Ｔ）については、カメラ１や電源装置等の諸条件を考慮して最適値を適宜設定すればよい。
【００３０】
次に、上述したステップＳ３において、両電源均等使用モードで電力の供給を継続していて、第１電源装置１７と第２電源装置２２のいずれか一方の残量が所定値（Ｒ１）を下回った「ＮＯ」の場合には、ステップＳ１１に進んで、まず第２電源装置２２の残量を確認する。この結果、第２電源装置２２に所定値（Ｒ１）以上の残量がある「ＹＥＳ」の場合、ステップＳ１２に進んで第２電源装置２２を使用する。すなわち、第２電源装置２２を優先使用するレンズ側電源優先使用モードとなる。
こうして使用する電源装置が決まると、次のステップＳ６に進んで電源状態の表示が行われるが、このステップＳ６以降については、上述した両電源均等使用モードと同様の過程を経て電源が使用される。
【００３１】
続いて、上述したステップＳ１１において、第２電源装置２２の残量が所定値（Ｒ１）以上ない「ＮＯ」の場合には、ステップＳ２１に進んで第１電源装置１７の残量を確認する。この結果、第１電源装置１７に所定値（Ｒ１）以上の残量がある「ＹＥＳ」の場合、ステップＳ５に進んで第１電源装置１７を使用する。すなわち、第１電源装置１７を優先使用する本体側電源優先使用モードとなる。
こうして使用する電源装置が決まると、次のステップＳ６に進んで電源状態の表示が行われるが、このステップＳ６以降については、上述した両電源均等使用モードと同様の過程を経て電源が使用される。
【００３２】
一方、上述したステップＳ２１において、第１電源装置１７の残量が所定値（Ｒ１）を下回る「ＮＯ」の場合には、ステップＳ３１に進む。この状態では、第１電源装置１７と第２電源装置２２の両方とも残量が所定値（Ｒ１）以下となっている。このままカメラ１ンの使用を停止すれば、所定値（Ｒ１）を表示素子１５に画像を表示するのに必要な残量よりも大きな値に設定した場合には、カメラ本体１０に内蔵した第１電源装置１７のみで表示素子１５に記録した画像を表示することができる。
また、所定値（Ｒ１）を撮像素子１５により画像を撮影し記憶装置１４に記録するのに必要な残量よりも大きな値に設定した場合には、レンズユニット２０に内蔵した第２電源装置のみで撮影を行うことができ、第１電源装置１７の残量がないカメラ本体１０にレンズユニット２０を接続した場合でも撮影を行うことができる。
この状態で使用する電源装置を選択することにより、第１電源装置１７の電源容量を残してカメラ本体１０のみで記録済画像を表示したり、あるいは、第２電源装置２２の電源容量を残して第１電源装置１７の残量がないカメラ本体１０で撮影したりすることができる。
そこで、ステップＳ３１に進む。このステップ３１では、通知手段としても機能する表示素子１５に、たとえば「どちらの電源を使用しますか？」というように、カメラ使用者の意志を確認する確認表示がなされる。
そして、次のステップＳ３２で第１電源装置１７を使用する「ＹＥＳ」が選択された場合には、上述したステップＳ５に進んで第１電源装置１７を使用する。
【００３３】
しかし、ステップＳ３２でカメラ使用者が第１電源装置１７を使用しない「ＮＯ」を選択した場合には、次のステップＳ３３に進む。このステップＳ３３では、カメラ使用者が第２電源装置２２を使用するか否かを選択する。この結果、第２電源装置２２を使用する「ＹＥＳ」が選択された場合には、上述したステップＳ１２に進んで第２電源装置２２を使用する。
【００３４】
このようにして、カメラ使用者の意志により選択されたステップＳ５またはステップＳ１２に進んで使用する電源が決まると、続いてステップＳ６に進んで電源状態の表示が行われる。なお、ステップＳ６以降については、上述した電源使用モードと同様の過程を経て電源が使用される。
しかし、カメラ使用者がステップＳ３３で第２電源装置２２を使用しない「ＮＯ」を選択した場合には、第１電源装置１７及び第２電源装置２２の両方を使用しないという意思表示になる。このため、次のステップＳ３４に進むことにより、たとえば「終了します」というように撮影を終了する旨の表示を表示素子１５にした後、ステップＳ９に進んで終了する。
【００３５】
また、所定値（Ｒ１）を画像を表示するのに必要な電力量よりも大きな値に設定して、第２の電源装置側に所定値（Ｒ１）のバッテリ残量を残すことにより、カメラ本体１０のみでも第１電源装置１７の残量を使用して画像を再生することができる。
また、所定値（Ｒ１）を画像を撮影し記録するのに必要な残量よりも大きな値に設定して、第１電源装置１７側に所定値（Ｒ１）のバッテリ残量を残すことにより、レンズユニット２０を他のカメラ本体１０に接続したときに、第１電源装置１７の残量がなくても第２電源装置２２の残量だけで撮影を行うことができる。
【００３６】
ところで、上述した実施形態ではデジタルカメラを例示して説明したが、たとえばビデオカメラなど内部電源を必要とする全てのカメラに適用可能なことはいうまでもない。
なお、本発明は上述した実施形態に限定されるものではなく、本発明の要旨を逸脱しない範囲内において適宜変更することができる。
【図面の簡単な説明】
【００３７】
【図１】本発明に係るカメラの一実施形態として、デジタルカメラの構成例を示すブロック図である。
【図２】本発明に係る電源制御装置（電源制御部）の電源制御例を示すフローチャートである。
【符号の説明】
【００３８】
１    カメラ
１０    カメラ本体
１１    電源制御装置
１７    第１電源装置（第１のバッテリ電源）
２０    レンズユニット
２２    第２電源装置（第２のバッテリ電源）
【図１】
2008083142.tif 000003
【図２】
2008083142.tif 000004